(57)【要約】      （修正有）【課題】誘導加熱とハロゲンランプを用いた加熱とによる同時加熱を行う際に、誘導加熱用の加熱コイルとしてのソレノイドコイルで発生する磁界による誘導電流により、ハロゲンランプの電気回路が影響を受けることがないようにする。【解決手段】誘導加熱とハロゲンランプを用いた加熱とを併用して薄板鋼板を昇温して加熱する誘導加熱とハロゲンランプを併用した薄板加熱装置１０において、誘導加熱用の加熱コイルとしてのソレノイド型加熱コイル１２と、ソレノイドコイルの巻き線形状部１２ａの間にそれぞれ配置された偶数本のハロゲンランプ１６と、偶数本のハロゲンランプを直列に接続する電源１８とを有し、ハロゲンランプは、ソレノイドコイルの巻き線形状部の間において、封体の封体軸が巻き線形状部の延長方向と平行となるように配置する。【選択図】図１
2019149307.tif 000002
【特許請求の範囲】
【請求項１】
誘導加熱とハロゲンランプを用いた加熱とを併用して薄板鋼板を昇温して加熱する誘導加熱とハロゲンランプを併用した薄板加熱装置において、
誘導加熱用の加熱コイルとしてのソレノイドコイルと、
前記ソレノイドコイルの巻き線形状部の間にそれぞれ配置された偶数本のハロゲンランプと、
前記偶数本のハロゲンランプを直列に接続する電源と
を有し、
前記ハロゲンランプは、前記ソレノイドコイルの前記巻き線形状部の間において、封体の封体軸が前記巻き線形状部の延長方向と平行となるように配置された
ことを特徴とする誘導加熱とハロゲンランプを併用した薄板加熱装置。
【請求項２】
誘導加熱とハロゲンランプを用いた加熱とを併用して薄板鋼板を昇温して加熱する誘導加熱とハロゲンランプを併用した薄板加熱装置において、
誘導加熱用の加熱コイルとしてのソレノイドコイルと、
封体の封体軸が前記ソレノイドコイルの巻き線部分の延長方向と直交するように配置されたハロゲンランプと
を有することを特徴とする誘導加熱とハロゲンランプを併用した薄板加熱装置。
【請求項３】
請求項２に記載の誘導加熱とハロゲンランプを併用した薄板加熱装置において、
前記ハロゲンランプは、電源に直列に接続された
ことを特徴とする誘導加熱とハロゲンランプを併用した薄板加熱装置。
【請求項４】
請求項１、２または３のいずれか１項に記載の誘導加熱とハロゲンランプを併用した薄板加熱装置において、
前記ハロゲンランプは、両口金タイプである
ことを特徴とする誘導加熱とハロゲンランプを併用した薄板加熱装置。
【発明の詳細な説明】
【技術分野】
【０００１】
本発明は、誘導加熱とハロゲンランプを併用した薄板加熱装置に関する。さらに詳細には、本発明は、薄板形状の鋼板である薄板鋼板を昇温して加熱する際に用いて好適な誘導加熱とハロゲンランプを併用した薄板加熱装置に関する。
【背景技術】
【０００２】
従来より、被加熱物たる薄板形状の鋼板である薄板鋼板をキュリー点以上に昇温して加熱する手法として、例えば、特許第４８９１２７５号公報などに開示された手法が知られている。
【０００３】
ここで、特許第４８９１２７５号公報に開示された手法とは、誘導加熱とハロゲンランプを用いた加熱とを併用して、薄板鋼板を昇温して加熱するというものである。
【０００４】
ところで、誘導加熱とハロゲンランプを用いた加熱とを併用して薄板鋼板を昇温して加熱する場合には、誘導加熱とハロゲンランプとにより加熱する場所が異なっていると、誘導加熱用の加熱コイルとしてのソレノイドコイル（本明細書および特許請求の範囲においては、「誘導加熱用の加熱コイルとしてのソレノイドコイル」を「ソレノイド型加熱コイル」と適宜に称する。）とハロゲンランプとの両者の間を移動する際の移動時間によって、加熱された薄板鋼板の温度が下がってしまうという不具合があった。
【０００５】
こうした不具合をなくすためには、薄板鋼板を移動させることなく、同じ場所において薄板鋼板を誘導加熱とハロゲンランプとで加熱する必要がある。
【０００６】
また、薄板鋼板の急速加熱を行うためには、ソレノイド型加熱コイルとハロゲンランプとの双方を薄板鋼板に近接して配置する必要がある。
【０００７】
しかしながら、ソレノイド型加熱コイルとハロゲンランプとを近接して配置した場合には、ソレノイド型加熱コイルで発生する磁界により、ハロゲンランプの電気回路（本明細書および特許請求の範囲においては、「ハロゲンランプの電気回路」を「ハロゲンランプ回路」と適宜に称する。）に誘導電流が流れるため、この誘導電流の影響を受けてハロゲンランプが正常に点灯しないので、誘導加熱とハロゲンランプを用いた加熱とによる同時加熱を行うことができないという問題点があった。
【０００８】
即ち、従来の誘導加熱とハロゲンランプによる加熱とを併用した薄板鋼板加熱装置においては、ソレノイド型加熱コイルとハロゲンランプとを接近させると、ソレノイド型加熱コイルで発生する磁界による誘導電流がハロゲンランプ回路に流れ、これによりハロゲンランプ回路が影響を受けてハロゲンランプが正常に点灯しないため、誘導加熱とハロゲンランプを用いた加熱とによる同時加熱を行うことができないという問題点があった。
【先行技術文献】
【特許文献】
【０００９】
【特許文献１】特許第４８９１２７５号公報
【発明の概要】
【発明が解決しようとする課題】
【００１０】
本発明は、上記したような従来の技術の問題点に鑑みてなされたものであり、その目的とするところは、誘導加熱とハロゲンランプを用いた加熱とを併用して薄板鋼板を昇温して加熱する際に、誘導加熱用の加熱コイルとしてのソレノイドコイル（ソレノイド型加熱コイル）とハロゲンランプとを接近させて配置して、誘導加熱とハロゲンランプを用いた加熱とによる同時加熱を行っても、誘導加熱用の加熱コイルとしてのソレノイドコイル（ソレノイド型加熱コイル）で発生する磁界による誘導電流によりハロゲンランプの電気回路（ハロゲンランプ回路）が影響を受けることがないようにした誘導加熱とハロゲンランプを併用した薄板加熱装置を提供しようとするものである。
【課題を解決するための手段】
【００１１】
上記目的を達成するために、本発明は、誘導加熱用の加熱コイルとしてのソレノイドコイル（ソレノイド型加熱コイル）で発生する磁界によりハロゲンランプの電気回路（ハロゲンランプ回路）に流れる誘導電流が、ハロゲンランプの電気回路（ハロゲンランプ回路）に影響を与えないようにしたものである。
【００１２】
従って、本発明によれば、ハロゲンランプの電気回路（ハロゲンランプ回路）に誘導電流が流れても、当該誘導電流によりハロゲンランプの電気回路（ハロゲンランプ回路）が影響を受けずに、ハロゲンランプを正常に点灯することができる。
【００１３】
即ち、本発明は、誘導加熱とハロゲンランプを用いた加熱とを併用して薄板鋼板を昇温して加熱する誘導加熱とハロゲンランプを併用した薄板加熱装置において、誘導加熱用の加熱コイルとしてのソレノイドコイルと、上記ソレノイドコイルの巻き線形状部の間にそれぞれ配置された偶数本のハロゲンランプと、上記偶数本のハロゲンランプを直列に接続する電源とを有し、上記ハロゲンランプが、上記ソレノイドコイルの上記巻き線形状部の間において、封体の封体軸が上記巻き線形状部の延長方向と平行となるように配置されたものである。
【００１４】
また、本発明は、誘導加熱とハロゲンランプを用いた加熱とを併用して薄板鋼板を昇温して加熱する誘導加熱とハロゲンランプを併用した薄板加熱装置において、誘導加熱用の加熱コイルとしてのソレノイドコイルと、封体の封体軸が上記ソレノイドコイルの巻き線部分の延長方向と直交するように配置されたハロゲンランプとを有するようにしたものである。
【００１５】
また、本発明は、上記した本発明において、上記ハロゲンランプは、電源に直列に接続されるようにしたものである。
【００１６】
また、本発明は、上記した本発明において、上記ハロゲンランプは、両口金タイプであるようにしたものである。。
【発明の効果】
【００１７】
本発明は、以上説明したように構成されているので、誘導加熱とハロゲンランプを用いた加熱とを併用して薄板鋼板を昇温して加熱する際に、誘導加熱用の加熱コイルとしてのソレノイドコイル（ソレノイド型加熱コイル）とハロゲンランプとを接近させて配置して、誘導加熱とハロゲンランプを用いた加熱とによる同時加熱を行っても、誘導加熱用の加熱コイルとしてのソレノイドコイル（ソレノイド型加熱コイル）で発生する磁界による誘導電流によりハロゲンランプの電気回路（ハロゲンランプ回路）が影響を受けることがないという優れた効果を奏する。
【図面の簡単な説明】
【００１８】
【図１】図１は、本発明による誘導加熱とハロゲンランプを併用した薄板加熱装置の第１の実施の形態を模式的に示す斜視構成説明図である。
【図２】図２は、図１のＩＩ矢視における構成を簡略化して模式的に示す構成説明図である。
【図３】図３は、本発明による誘導加熱とハロゲンランプを併用した薄板加熱装置の第２の実施の形態の図２に相当する構成説明図である。
【図４】図４は、本発明による誘導加熱とハロゲンランプを併用した薄板加熱装置の第３の実施の形態の図２に相当する構成説明図である。
【発明を実施するための形態】
【００１９】
以下、添付の図面を参照しながら、本発明による誘導加熱とハロゲンランプを併用した薄板加熱装置の実施の形態の一例を詳細に説明するものとする。
【００２０】
なお、以下の各実施の形態の説明においては、同一あるいは相当する構成については同一の符号を用いて示すことにより、重複する構成ならびに作用の説明について適宜に省略するものとする。
【００２１】
はじめに、図１および図２を参照しながら、本発明による誘導加熱とハロゲンランプを併用した薄板加熱装置の第１の実施の形態について説明する。
【００２２】
なお、図１には、本発明による誘導加熱とハロゲンランプを併用した薄板加熱装置の第１の実施の形態を模式的に示す斜視構成説明図があらわされている。また、図２には、図１のＩＩ矢視における構成を簡略化して模式的に示す構成説明図があらわされている。
【００２３】
この第１の実施の形態による誘導加熱とハロゲンランプを併用した薄板加熱装置（以下、本明細書においては、「誘導加熱とハロゲンランプを併用した薄板加熱装置」を単に「薄板加熱装置」と適宜に称する。）１０は、誘導加熱用の加熱コイルとしてのソレノイドコイル（ソレノイド型加熱コイル）１２と、ソレノイド型加熱コイル１２へ電力を供給する電源たる加熱用電源１４と、ソレノイド型加熱コイル１２の上方側（Ｚ軸方向の上方側）において巻き線形状部１２ａの間にそれぞれ配置されたハロゲンランプ１６と、ハロゲンランプ１６へ電力を供給する電源たるハロゲンランプ用電源１８とを有して構成されている。
【００２４】
薄板加熱装置１０においては、ソレノイド型加熱コイル１２とハロゲンランプ１６とは、接近させて配置されている。
【００２５】
なお、符号２０は、薄板加熱装置１０による加熱対象である被加熱物たる薄板形状の鋼板（薄板鋼板）である。
【００２６】
より詳細には、ハロゲンランプ１６は、両口金タイプであり、封体１６ａ内にハロゲンランプの電気回路（ハロゲンランプ回路）を構成するフィラメント１６ｂが封入されている。また、封体１６ａ内に封入されたフィラメント１６ｂは、封体１６ａの封体軸に対して平行に配置されている。
【００２７】
そして、ハロゲンランプ１６は、ソレノイド型加熱コイル１２の巻き線形状部１２ａの間において、封体１６ａの封体軸がソレノイド型加熱コイル１２の巻き線形状部１２ａの延長方向と平行になる、即ち、ＸＹ平面においてフィラメント１６ｂの延長方向が巻き線形状部１２ａの延長方向と平行となるように配置されている。
【００２８】
また、薄板加熱装置１０においては、ハロゲンランプ１６は偶数本（図１に示す例においては４本である。なお、図２には、簡略化して２本のみを示している。）配置されている。これら偶数本のハロゲンランプ１６は、ハロゲンランプ用電源１８に直列に接続されている。
【００２９】
以上の構成において、薄板加熱装置１０において、加熱用電源１４からソレノイド型加熱コイル１２へ電力を供給するとともに、ハロゲンランプ用電源１８からハロゲンランプ１６へ電力を供給して、ソレノイド型加熱コイル１２による誘導加熱とハロゲンランプ１６を用いた加熱とによる同時加熱を行う。
【００３０】
そのとき、ソレノイド型加熱コイル１２の巻き線形状部１２ａには矢印Ａ方向に電流がそれぞれ流れ、ソレノイド型加熱コイル１２で発生する磁界によりハロゲンランプ回路を構成するハロゲンランプ１６のフィラメント１６ｂには矢印Ａ方向と反対方向の矢印Ｂ方向に誘導電流がそれぞれ流れる。
【００３１】
ここで、ハロゲンランプ用電源１８には偶数本のハロゲンランプ１６が直列に接続されているので、各ハロゲンランプ１６（図２においては、隣り合う一対のハロゲンランプ１６である。）のフィラメント１６ｂを流れる誘導電流が互いに打ち消し合うので、ハロゲンランプ回路が誘導電流による影響を受けることがなくなる。
【００３２】
従って、薄板加熱装置１０においては、ハロゲンランプ回路に誘導電流が流れてもハロゲンランプ１６を正常に点灯することができるようになり、ソレノイド型加熱コイル１２による誘導加熱とハロゲンランプ１６を用いた加熱とによる同時加熱を適正に行うことができるようになる。
【００３３】
次に、図３を参照しながら、本発明による誘導加熱とハロゲンランプを併用した薄板加熱装置の第２の実施の形態について説明する。
【００３４】
なお、図３には、本発明による誘導加熱とハロゲンランプを併用した薄板加熱装置の第２の実施の形態の図２に相当する構成説明図があらわされている。
【００３５】
この第２の実施の形態による誘導加熱とハロゲンランプを併用した薄板加熱装置（薄板加熱装置）１００は、ハロゲンランプ１６における封体１６ａの封体軸がソレノイド型加熱コイル１２の巻き線形状部１２ａの延長方向と直交する、即ち、ＸＹ平面においてフィラメント１６ｂの延長方向と巻き線形状部１２ａの延長方向とが直交するように配置されている。
【００３６】
この実施の形態に適用されるソレノイド型加熱コイル１２は、薄板鋼板の加熱に適合するよう、巻き線形状部１２ａは薄板鋼板の幅方向に沿って延びる形状であってもよく、例えば、ソレノイド型加熱コイル１２が偏平な形状であってもよい。
【００３７】
そして、ハロゲンランプ１６は、ソレノイド型加熱コイル１２の巻き線形状部１２ａの延長方向に沿って複数並設する構成が採用できる。
【００３８】
これにより、複数のハロゲンランプ１６は、それぞれ、ソレノイド型加熱コイル１２との距離が同等となるように配置でき、また、薄板鋼板との離間距離も同等に配置することができるため、薄板鋼板の加熱により適合させることができる。
【００３９】
また、複数のハロゲンランプ１６のそれぞれには、それぞれのハロゲンランプ用電源１８から電力が供給されるように接続されている。
【００４０】
以上の構成において、薄板加熱装置１００によれば、ハロゲンランプ回路を構成するハロゲンランプ１６のフィラメント１６ｂに流れる電流の方向とソレノイド型加熱コイル１２の巻き線部分１０ａに流れる電流の方向とが直交しているので、ソレノイド型加熱コイル１２で発生する磁界による誘導電流により、ハロゲンランプ回路が影響を受けることがない。
【００４１】
従って、薄板加熱装置１００においては、ソレノイド型加熱コイル１２による誘導加熱とハロゲンランプ１６を用いた加熱とによる同時加熱を適正に行うことができるようになる。
【００４２】
次に、図４を参照しながら、本発明による誘導加熱とハロゲンランプを併用した薄板加熱装置の第３の実施の形態について説明する。
【００４３】
なお、図４には、本発明による誘導加熱とハロゲンランプを併用した薄板加熱装置の第３の実施の形態の図２に相当する構成説明図があらわされている。
【００４４】
この第３の実施の形態による誘導加熱とハロゲンランプを併用した薄板加熱装置（薄板加熱装置）２００は、複数のハロゲンランプ１６をハロゲンランプ用電源１８に直列に接続されている点においてのみ、第２の実施の形態による薄板加熱装置１００と異なる。
【００４５】
薄板加熱装置２００においても、薄板加熱装置１００と同様に、ソレノイド型加熱コイル１２で発生する磁界による誘導電流によりハロゲンランプ回路が影響を受けることがないので、ソレノイド型加熱コイル１２による誘導加熱とハロゲンランプ１６を用いた加熱とによる同時加熱を適正に行うことができるようになる。
【００４６】
以上において説明したように、薄板加熱装置１０、１００、２００によれば、加熱用電源１４からソレノイド型加熱コイル１２へ電力を供給するとともに、ハロゲンランプ用電源１８からハロゲンランプ１６へ電力を供給して、ソレノイド型加熱コイル１２による誘導加熱とハロゲンランプ１６を用いた加熱とによる同時加熱を行っても、ハロゲンランプ回路が誘導電流の影響を受けることがなく、ハロゲンランプ１６を正常に点灯することができる。
【００４７】
なお、上記した各実施の形態は例示に過ぎないものであり、本発明は他の種々の形態で実施することができる。即ち、本発明は、上記した各実施の形態に限定されるものではなく、本発明の要旨を逸脱しない範囲で種々の省略、置き換え、変更などを行うことができる。
【００４８】
例えば、上記した各実施の形態は、以下の（１）乃至（６）に示すように変形するようにしてもよい。
【００４９】
（１）上記した第１の実施の形態による薄板加熱装置１０においては、偶数本のハロゲンランプ１６を配設した場合について説明したが、これに限られるものではないことは勿論である。即ち、ハロゲンランプ用電源１８に直列に接続されるハロゲンランプ１６の本数が偶数であるならば、薄板加熱装置１０に設置されるハロゲンランプの総数は奇数であってもよい。
【００５０】
（２）上記した第２の実施の形態による薄板加熱装置１００ならびに上記した第３の実施の形態による薄板加熱装置２００については、ハロゲンランプ１６の本数についての詳細な説明は省略したが、ハロゲンランプ１６の本数は偶数であってもよいし奇数であってもよい。
【００５１】
（３）上記した第１の実施の形態による薄板加熱装置１０、上記した第２の実施の形態による薄板加熱装置１００ならびに上記した第３の実施の形態による薄板加熱装置２００については、ハロゲンランプ１６の具体的な本数に関する説明は省略したが、ハロゲンランプ１６の具体的な本数については、設計条件などに応じて適宜に設定すればよい。
【００５２】
（４）上記した第１の実施の形態による薄板加熱装置１０においては、ソレノイド型加熱コイル１２の上方側にハロゲンランプ１６を配置した場合について説明したが、これに限られるものではないことは勿論である。即ち、ソレノイド型加熱コイル１２の下方側にハロゲンランプ１６を配置してもよいし、あるいは、ソレノイド型加熱コイル１２の上方側と下方側との両方にハロゲンランプ１６を配置してもよいし。また、上記した第２の実施の形態による薄板加熱装置１００ならびに上記した第３の実施の形態による薄板加熱装置２００についても同様に、ソレノイド型加熱コイル１２の上方側、下方側あるいは上下両側にハロゲンランプ１６を配置してもよい。
【００５３】
（５）誘導加熱とハロゲンランプを用いた加熱とを併用して薄板鋼板を昇温して加熱する薄板加熱装置においては、誘導電流をハロゲンランプの電力として用いて、ハロゲンランプ用の交流電源を配置しなくてもよい。
【００５４】
（６）上記した各実施の形態ならびに上記した（１）乃至（５）に示す各実施の形態は、適宜に組み合わせるようにしてもよいことは勿論である。
【産業上の利用可能性】
【００５５】
本発明は、被加熱物たる薄板形状の鋼板である薄板鋼板をキュリー点以上に昇温して加熱する際に利用することができる。
【符号の説明】
【００５６】
１０      薄板加熱装置
１２      ソレノイド型加熱コイル
１２ａ    巻き線形状部
１４      加熱用電源
１６      ハロゲンランプ
１６ａ    封体
１６ｂ    フィラメント
１８      ハロゲンランプ用電源（電源）
２０      薄板鋼板
１００      薄板加熱装置
２００      薄板加熱装置
【図１】
2019149307.tif 000003
【図２】
2019149307.tif 000004
【図３】
2019149307.tif 000005
【図４】
2019149307.tif 000006